(57)【要約】【課題】ユーザーの情報端末から加熱調理器に調理メニューを指定でき、指定された調理メニューについて加熱調理器を実行可能な状態にすることができ、利便性を向上できる加熱調理システムを提供する。【解決手段】加熱調理システムは、加熱調理器(１００)と、サーバ(４００,５００)と、情報端末(３００)とを備える。サーバ(４００,５００)は、情報端末(３００)の調理メニュー情報送信部(３００ｂ)から送信された調理メニューに関わる情報に基づいて、調理メニューの実行を準備する指令を通信ネットワーク(Ｎ)を介して加熱調理器(１００)に送信する。加熱調理器(１００)は、サーバ(４００,５００)から調理メニューの実行を準備する指令を受けたとき、調理メニューの加熱調理を開始可能な実行直前モードに切り換える動作モード切換部(１１０ｈ)を有する。【選択図】図１
2020043589.tif 000002
【特許請求の範囲】
【請求項１】
加熱調理器と、
上記加熱調理器と通信ネットワークを介して通信するサーバと
を備え、
上記サーバは、上記サーバと上記通信ネットワークを介して通信する情報端末から受信した調理メニューに関わる情報に基づいて、上記調理メニューに関わる情報を上記通信ネットワークを介して上記加熱調理器に送信する通信部を有し、
上記加熱調理器は、上記サーバの通信部から上記調理メニューに関わる情報を受信する通信部と、表示部を有し、上記サーバの通信部から上記調理メニューに関わる情報を受信すると、上記調理メニューに関わる情報を受信したことを上記表示部のトップ画面に操作ボタンと共に表示し、上記表示部のトップ画面に表示された上記操作ボタンを操作することで上記調理メニューに対応するメニュー名または調理画像の情報を上記表示部に表示させることを特徴とする加熱調理システム。
【発明の詳細な説明】
【技術分野】
【０００１】
この発明は、加熱調理システムに関する。
【背景技術】
【０００２】
従来、監視制御用端末と、チャットサーバと、複数の機器にそれぞれ備えられた機器側端末とから構成された監視制御システムがある(例えば、特開２００３−３１６６６９号
公報(特許文献１)参照)。この監視制御システムでは、監視制御用端末からチャットプロ
グラムを利用してネットワークを介して家電製品の遠隔監視制御を行う。
【先行技術文献】
【特許文献】
【０００３】
【特許文献１】特開２００３−３１６６６９号公報
【発明の概要】
【発明が解決しようとする課題】
【０００４】
しかしながら、上記監視制御システムでは、チャットサーバが、監視制御用端末からの監視制御要求情報を機器側端末に配信し、その監視制御要求情報に基づいて機器側端末で行われた監視制御の結果である監視制御状態情報を受信して、受信した表示用データを監視制御要求情報の送信元の監視制御用端末に配信するものである。
【０００５】
このような監視制御システムでは、機器側が加熱調理器の場合、ユーザーの情報端末から加熱調理器に調理メニューを指定可能な構成にしたとしても、加熱調理器の加熱調理を実行するには複数の操作が必要なため、すぐに加熱調理を実行することができないという問題がある。
【０００６】
そこで、この発明の課題は、ユーザーの情報端末から加熱調理器に調理メニューを指定でき、指定された調理メニューについて加熱調理器を実行可能な状態にすることができ、利便性を向上できる加熱調理システムを提供することにある。
【課題を解決するための手段】
【０００７】
上記課題を解決するため、この発明の加熱調理システムは、
加熱調理器と、
上記加熱調理器と通信ネットワークを介して通信するサーバと、
上記サーバと上記通信ネットワークを介して通信する情報端末と
を備え、
上記情報端末は、上記加熱調理器で実行するための調理メニューに関わる情報を上記通信ネットワークを介して上記サーバに送信する調理メニュー情報送信部を有し、
上記サーバは、上記情報端末の上記調理メニュー情報送信部から送信された上記調理メニューに関わる情報に基づいて、上記調理メニューの実行を準備する指令を上記通信ネットワークを介して上記加熱調理器に送信すると共に、
上記加熱調理器は、上記サーバから上記調理メニューの実行を準備する指令を受けたとき、上記調理メニューの加熱調理を開始可能な実行直前モードに切り換える動作モード切換部を有することを特徴とする。
【０００８】
また、一実施形態の加熱調理システムでは、
上記加熱調理器は、上記実行直前モードにおいて加熱室を開閉するドアを開けたとき、上記調理メニューの加熱調理が開始可能であることを表示する表示部を有する。
【０００９】
また、一実施形態の加熱調理システムでは、
上記加熱調理器は、予め調理メニュー名とその調理メニュー名に対応する調理シーケンスが複数記憶された調理メニュー記憶部を有し、
上記加熱調理器は、上記サーバから上記調理メニュー記憶部に記憶された上記調理メニューの実行を準備する指令を受けたとき、上記調理メニューに対応するメニュー名と調理画像の情報を上記サーバからダウンロードする。
【００１０】
また、一実施形態の加熱調理システムでは、
上記加熱調理器は、予め調理メニュー名とその調理メニュー名に対応する調理シーケンスが複数登録された調理メニュー記憶部を有し、
上記加熱調理器は、上記サーバから上記調理メニュー記憶部に登録されていない上記調理メニューの実行を準備する指令を受けたとき、上記調理メニューに対応するメニュー名と調理画像の情報および調理シーケンスを上記サーバからダウンロードする。
【００１１】
また、一実施形態の加熱調理システムでは、
上記加熱調理器は、上記実行直前モードにおいて１操作または２操作で上記調理メニューの加熱調理を開始するための操作部を有する。
【００１２】
また、一実施形態の加熱調理システムでは、
上記情報端末は、複数であって、
上記サーバは、上記複数の情報端末のユーザーのためのコミュニケーションツールを管理するコミュニケーションツール管理部を有し、
上記コミュニケーションツール管理部は、上記複数の情報端末のうちの１つから上記サーバを介して上記調理メニューの実行を準備する指令が上記加熱調理器に送信されたことを、上記複数の情報端末のうちの他の情報端末に通知するための情報を上記コミュニケーションツールに投稿する。
【発明の効果】
【００１３】
以上より明らかなように、この発明によれば、サーバから調理メニューの実行を準備する指令を受けた加熱調理器が、待機モードなどから調理メニューの加熱調理を開始可能な実行直前モードに切り換わることによって、ユーザーの情報端末からコミュニケーションツールを介して加熱調理器に調理メニューを指定でき、指定された調理メニューについて加熱調理器を実行可能な状態にすることができ、利便性を向上できる加熱調理システムを実現することができる。
【図面の簡単な説明】
【００１４】
【図１】図１はこの発明の第１実施形態の加熱調理システムの概略構成図である。
【図２】図２は上記加熱調理システムの加熱調理器の外観斜視図である。
【図３】図３は上記加熱調理器の制御ブロック図である。
【図４】図４は上記加熱調理システムの管理サーバの制御ブロック図である。
【図５】図５は上記加熱調理器から投稿された調理終了通知の一例を家族伝言板に表示したスマートフォンの画面を示す図である。
【図６】図６は上記加熱調理器から投稿された取り出し忘れ通知の一例を家族伝言板に表示したスマートフォンの画面を示す図である。
【図７】図７は上記加熱調理器から投稿された加熱調理器状態の通知の一例を家族伝言板に表示したスマートフォンの画面を示す図である。
【図８】図８は上記管理サーバの調理メニュー提案部から投稿されたおすすめ調理メニューを家族伝言板に表示したスマートフォンの画面を示す図である。
【図９】図９は図８に示すおすすめ調理メニューの画面を表示する家族伝言板からレシピサイトのレシピ詳細画面に移ったときに表示されるスマートフォンの画面を示す図である。
【図１０】図１０は図９に示すレシピ詳細画面からダウンロード画面に移ったときに表示されるスマートフォンの画面を示す図である。
【図１１】図１１は図１０に示すダウンロード画面からダウンロードをスタートさせたときに表示されるスマートフォンの画面を示す図である。
【図１２】図１２は図１０に示すダウンロード画面からダウンロードをスタートさせたときに表示されるスマートフォンの画面を示す図である。
【図１３】図１３は上記加熱調理器のカラー液晶表示部に表示された第１トップ画面を示す図である。
【図１４】図１４は上記レシピサイトから調理メニューのレシピがダウンロードされたときの加熱調理器の第１トップ画面を示す図である。
【図１５】図１５は上記レシピサイトからダウンロードされた調理メニューを選択したときの加熱調理器の画面を示す図である。
【図１６】図１６は上記加熱調理器から投稿された加熱調理器状態の通知の一例であるシールを家族伝言板に表示したスマートフォンの画面を示す図である。
【図１７】図１７は上記加熱調理器に対して問い合わせるシールの一覧を家族伝言板に表示したスマートフォンの画面を示す図である。
【図１８】図１８は上記加熱調理器に対して１日の調理履歴を問い合わせるシールの一例を家族伝言板に表示したスマートフォンの画面を示す図である。
【図１９】図１９は上記加熱調理器に対して調理履歴を問い合わせるシールを家族伝言板に表示したスマートフォンの画面を示す図である。
【図２０】図２０は上記加熱調理器に対しておすすめメニューを問い合わせるシールを家族伝言板に表示したスマートフォンの画面を示す図である。
【図２１】図２１は上記加熱調理器にレシピサイトからの調理メニューのレシピのダウンロードの受信完了したことを示すシールを家族伝言板に表示したスマートフォンの画面を示す図である。
【図２２】図２２は上記加熱調理器から投稿されたエラー情報のシールの一例を家族伝言板に表示したスマートフォンの画面を示す図である。
【図２３】図２３は上記加熱調理器から投稿されたエラー情報(高温異常)のシールの一例を家族伝言板に表示したスマートフォンの画面を示す図である。
【図２４】図２４は上記家族伝言板のカレンダーを表示したスマートフォンの画面を示す図である。
【図２５】図２５はカレンダーからメニューを表示したスマートフォンの画面を示す図である。
【図２６】図２６はレシピサイトの検索メニューを表示したスマートフォンの画面を示す図である。
【図２７】図２７はレシピサイトの検索結果を表示したスマートフォンの画面を示す図である。
【図２８】図２８は「肉まんあたため」の指示を表示したスマートフォンの画面を示す図である。
【図２９】図２９は「レンジであたためる」の開始ボタンを表示したスマートフォンの画面を示す図である。
【図３０】図３０は上記「レンジであたためる」をスタートさせたことを知らせる通知を表示した他のスマートフォンの画面を示す図である。
【図３１】図３１は上記加熱調理器のカラー液晶表示部に表示された食材配置の画面の一例を示す模式図である。
【発明を実施するための形態】
【００１５】
以下、この発明の加熱調理システムを図示の実施の形態により詳細に説明する。
【００１６】
〔第１実施形態〕
図１はこの発明の第１実施形態の加熱調理システムの概略構成図を示している。
【００１７】
上記加熱調理システムは、加熱調理器１００と、この加熱調理器１００と通信する家族伝言板サーバ４００と、加熱調理器１００や家族伝言板サーバ４００などと通信する管理サーバ５００と、家族伝言板サーバ４００,管理サーバ５００などと通信する情報端末の
一例としての複数のスマートフォン３００とを備える。なお、加熱調理システムは、情報端末が１台であってもよい。また、この加熱調理システムは、インターネット網Ｎを介して情報提供サーバ(図示せず)から天気などの情報の提供を受ける。
【００１８】
上記家族伝言板サーバ４００,管理サーバ５００は、クラウドコンピューティングシス
テムを構成しており、本発明のサーバの一例である。なお、家族伝言板サーバ４００,管
理サーバ５００を１つのサーバで実現してもよい。
【００１９】
上記加熱調理器１００は、無線アクセスポイント２００およびインターネット網Ｎを介して家族伝言板サーバ４００,管理サーバ５００と通信を行う無線通信モジュール１２０
を備える。このインターネット網Ｎは、通信ネットワークの一例である。無線通信モジュール１２０が直接インターネット網Ｎに接続されるようにしてもよい。
【００２０】
上記無線通信モジュール１２０は、屋内の無線アクセスポイント２００との間で無線ＬＡＮによる通信を行う。より詳しくは、無線通信モジュール１２０は、通信規格の一例としての無線ＬＡＮの規格であるＷｉ-Ｆｉ(登録商標)を用い、無線アクセスポイント２０
０を介して、屋外の家族伝言板サーバ４００や管理サーバ５００に情報を送信したり受信したりする。
【００２１】
ここで、家族伝言板サーバ４００は、スマートフォン３００の複数のユーザー(例えば
、お父さん、お母さん、子供などの家族を構成するメンバー)が会話を行うためのコミュ
ニケーションツール(電子伝言板サービス)を管理するコミュニケーションツール管理部の一例である。この家族伝言板サーバ４００により管理される家族伝言板は、文字によるメッセージだけでなく、画像や音声などもメッセージとして投稿、閲覧が可能なコミュニケーションツールである。
【００２２】
なお、家族伝言板サーバ４００は、主に家族や近親者などの特定のメンバーで構成されたグループの伝言板サービスを管理するコミュニケーションツール管理部の一例であるが、コミュニケーションツール管理部はこれに限らず、特定のメンバーで構成されたグループの伝言板サービスを管理するものでもよい。また、この発明の加熱調理システムは、複数のコミュニケーションツール管理部を備えたものでもよい。
【００２３】
スマートフォン３００は、インターネット網Ｎを介してさまざまなウェブサイトの情報を閲覧したりダウンロードしたりすることが可能な通信機能を備えている。このスマートフォン３００には、家族伝言板サービスを利用するためのアプリケーションソフトウェア(食事メニュー投稿部３００ａと調理メニュー情報送信部３００ｂの機能を含む)を予めインストールしている。そうして、家族伝言板サーバ４００が管理する家族伝言板は、通常、１世帯の家族が１つのコミュニティを形成し、家族の各メンバー(例えば、お父さん、
お母さん、子供など)が、それぞれのスマートフォン３００を用いて、メッセージの書き
込み(投稿)および閲覧を行うためのコミュニケーションツールである。各メンバーは、それぞれのスマートフォン３００以外にも、家庭にあるネットワーク対応テレビおよびタブレット等の情報端末を用いて会話を行うこともできる。
【００２４】
図２は上記加熱調理システムの加熱調理器１００の外観斜視図を示している。この加熱調理器１００は、図２に示すように、直方体形状の本体ケーシング１と、この本体ケーシング１内に設けられ、前側に開口部２ａを有する加熱室２と、加熱室２の開口部２ａを開閉する扉３とを備えている。
【００２５】
上記本体ケーシング１の上側かつ後側に排気ダクト５を設けている。また、本体ケーシング１の前面の下部に露受容器６を着脱可能に取り付けている。この露受容器６は、扉３の下側に位置し、扉３の後面(加熱室２側の表面)や本体ケーシング１の前板からの水滴を受けることができるようになっている。
【００２６】
上記扉３は、本体ケーシング１の前面側に下側の辺を軸に回動可能に取り付けられている。この扉３の前面(加熱室２とは反対側の表面)には、耐熱性を有する透明な外ガラス７が設けられている。また、扉３は、外ガラス７の上側に位置するハンドル８と、外ガラス７の右側に設けられた操作パネル９とを有している。上記操作パネル９は、操作部の一例である。
【００２７】
上記操作パネル９は、カラー液晶表示部１０と、途中で加熱を止めるときなどに押す取り消しキー１２と、加熱を開始するときに押すあたためスタートキー１３とを含んでいる。上記カラー液晶表示部１０は、報知部の一例である。なお、報知部はこれに限らず、音声を出力する音声出力部であってもよい。
【００２８】
上記加熱調理器１００の制御ブロック図を図３に示している。この加熱調理器１００の制御装置１１０は、図３に示すように、無線通信モジュール１２０,操作パネル９,スピーカ２０,ヒータ３０,マグネトロン４０,ドアセンサ５０などが接続されている。また、制
御装置１１０は、操作パネル９,湿度センサ(図示せず),庫内温度センサ(図示せず),ドア
センサ５０などからの信号に基づいて、無線通信モジュール１２０,操作パネル９のカラ
ー液晶表示部１０,スピーカ２０,ヒータ３０,マグネトロン４０などを制御する。
【００２９】
また、上記制御装置１１０は、マイクロコンピュータと入出力回路などからなり、[実
行した調理メニューの情報]を家族伝言板に投稿する実行調理メニュー投稿部１１０ａと
、調理メニューの調理が終了したことを表す[調理終了情報]を家族伝言板に投稿する調理終了投稿部１１０ｂと、加熱室２内から被調理物が取り出されていないことを表す[取り
出し忘れ情報]を家族伝言板に投稿する取り出し情報投稿部１１０ｃと、調理メニューの
加熱調理中における加熱調理器状態に関わる[加熱調理情報]を家族伝言板に投稿する加熱調理器状態投稿部１１０ｄと、予め調理メニュー名とその調理メニュー名に対応する調理シーケンスが複数記憶された調理メニュー記憶部１１０ｅと、お気に入り調理メニュー記憶部１１０ｆと、運転モード、待機モードまたは実行直前モードの動作モードを切り換える動作モード切換部１１０ｇを有する。
【００３０】
これらの実行調理メニュー投稿部１１０ａ,調理終了投稿部１１０ｂ,取り出し情報投稿部１１０ｃ,加熱調理器状態投稿部１１０ｄで、[実行した調理メニューに関わる情報]ま
たは[加熱調理器本体の状況に関わる情報]を家族伝言板サーバ４００の家族伝言板に投稿する投稿部を構成している。
【００３１】
なお、加熱調理器１００の実行調理メニュー投稿部１１０ａ,調理終了投稿部１１０ｂ,取り出し情報投稿部１１０ｃ,加熱調理器状態投稿部１１０ｄは、家族伝言板サーバ４０
０の家族伝言板に投稿したが、これに限らず、加熱調理器１００から管理サーバ５００に[実行した調理メニューに関わる情報]または[加熱調理器本体の状況に関わる情報]を送信して、管理サーバ５００が加熱調理器１００を代理して家族伝言板に投稿してもよい。
【００３２】
また、図４は管理サーバ５００の制御ブロック図を示している。
【００３３】
この管理サーバ５００は、図４に示すように、ユーザーの食生活に関わる履歴を記憶する履歴記憶部５００ａと、おすすめ調理メニューを提案する調理メニュー提案部５００ｂと、おすすめ調理メニューを家族伝言板サーバ４００が管理する家族伝言板に投稿する調理メニュー投稿部５００ｃと、加熱調理器１００が利用可能な調理メニューの[レシピ情
報]を記憶するレシピ情報記憶部５００ｄと、インターネット網Ｎを介した通信を行う通
信部５００ｅと、ユーザーの[予定情報]が記憶されるカレンダー管理部５００ｆと、を有する。上記履歴記憶部５００ａには、加熱調理器１００の調理履歴やユーザーの食事履歴などが記憶される。
【００３４】
この管理サーバ５００は、レシピ情報記憶部５００ｄに記憶された[レシピ情報]などを閲覧利用できるレシピサイトを管理する。このレシピサイトは、複数の家族伝言板のグループのそれぞれのユーザーから閲覧利用される。
【００３５】
なお、このレシピサイトは、他の情報提供サーバにより管理されていてもよく、このような情報提供サーバは、家族伝言板サーバ４００,管理サーバ５００と共にクラウドコン
ピューティングシステムを構成する。
【００３６】
上記加熱調理器１００の制御装置１１０(実行調理メニュー投稿部１１０ａ,調理終了投稿部１１０ｂ,取り出し情報投稿部１１０ｃ,加熱調理器状態投稿部１１０ｄ)が投稿する[実行した調理メニューに関わる情報]または[加熱調理器本体の状況に関わる情報]として
は、次の１)〜４)がある。なお、[実行した調理メニューに関わる情報]または[加熱調理
器本体の状況に関わる情報]は、これら１)〜４)に限らない。
【００３７】
１)  実行した調理メニューの投稿
上記加熱調理器１００の加熱調理の開始時または終了時に、[実行した調理メニューの
情報]を、制御装置１１０の実行調理メニュー投稿部１１０ａにより、無線通信モジュー
ル１２０,無線アクセスポイント２００およびインターネット網Ｎを介して家族伝言板サ
ーバ４００が管理する家族伝言板に投稿する。
【００３８】
加熱調理の終了時に家族伝言板に投稿するようにすれば、例えば誤操作などによって調理を取り止めた場合に、実際には調理完了に至らなかった調理がむやみに家族伝言板に投稿されないようにすることができる。尚、調理メニューの実行に伴い加熱調理器１００内部で設定された調理終了の条件が満たされなかった場合でも、例えば調理の進行の８割以上が終了したときにユーザーが取り消しキーを押したことによって調理が停止した場合にも調理終了と判断し、家族伝言板に投稿するようにしてもよい。
【００３９】
このようにして、加熱調理器１００から家族伝言板に投稿された[実行した調理メニュ
ーの情報]は、家族伝言板サービス用のアプリケーションソフトウェアを起動させたスマ
ートフォン３００の画面に表示される。なお、スマートフォン３００のプッシュ通知機能をオンに設定しておくことにより、家族伝言板サービス用のアプリケーションソフトウェアを起動させていない状態でも、家族伝言板にメッセージが投稿されたことがスマートフォン３００に通知される。この通知によりユーザーは、スマートフォン３００のアプリケーションソフトウェアを起動させて、家族伝言板を確認することができる。
【００４０】
ここで、[実行した調理メニューの情報]は、実行した調理メニューの加熱条件(レンジ
調理,オーブン調理,蒸し調理,加熱時間など)、メニュー名、調理開始時刻(または調理終
了時刻)などの全部または一部である。
【００４１】
上記家族伝言板サーバ４００に投稿された[実行した調理メニューの情報]は、管理サーバ５００の調理履歴のデータとして履歴記憶部５００ａに記憶される。
【００４２】
なお、この[実行した調理メニューの情報]は、家族伝言板に投稿せずに加熱調理器１００から管理サーバ５００に調理履歴のデータとして送信してもよい。
【００４３】
２)  調理終了の投稿
上記加熱調理器１００の加熱調理が終了すると、調理メニューの調理が終了したことを表す[調理終了情報]を、制御装置１１０の調理終了投稿部１１０ｂにより、無線通信モジュール１２０,無線アクセスポイント２００およびインターネット網Ｎを介して家族伝言
板サーバ４００の家族伝言板に投稿する。
【００４４】
図５は上記加熱調理器１００から投稿された調理終了通知の一例を家族伝言板に表示したスマートフォン３００の画面を示している。
【００４５】
図５では、画面上側から下側に向かって、「メッセージ」と「伝言ボード」の文字と、加熱調理器１００を擬人化した顔画像Ｇ１と、「レンジさん」という文字と、投稿時刻と、「できたよ！」文字を含む加熱調理器(擬人化)の画像Ｇ２(シール)と「調理したよ〜」の文字が表示されている。ここで、「メッセージ」と「伝言ボード」は、スマートフォン３００の画面が家族伝言板を表示していることを示し、家族伝言板に登録されたメンバーが書き込んだメッセージが時系列に沿って表示される。この家族伝言板には、加熱調理器１００もメンバーとして登録されている。
【００４６】
なお、家族伝言板における加熱調理器を特定する文字列として「レンジさん」と表示しているが、ユーザーが自由に名称を設定できるようにしてもよい。
【００４７】
本明細書において、「シール」とは、文字や絵(擬人化された加熱調理器を含む)などを含む画像であって、１つの「シール」で通知、制御、応答などのメッセージを表すものである。なお、この「シール」だけでメッセージを家族伝言板に投稿してもよいし、「シール」と任意の文字列を組み合わせて家族伝言板に投稿してもよい。
【００４８】
また、[調理終了情報]である調理終了通知は、図５に示す画像と文字に限らず、「○○○(メニュー名)ができました。」などの文字だけでもよい。また、[調理終了情報]に調理メニューの画像を表示させてもよい。
【００４９】
また、この調理終了通知から予め設定された時間が経過したときは、加熱調理器１００から「保温しますか？」などのメッセージを家族伝言板に投稿し、スマートフォン３００側で「保温する」または「保温しない」の選択ができるようにしてもよい。スマートフォン３００から加熱調理器１００に対して「保温する」という要求がされると、加熱調理器１００で予め調理メニュー毎に定められた温度に加熱室２内をヒータ３０(図３に示す)またはマグネトロン４０などの加熱源により温めることで、料理が冷めないようにできる。
【００５０】
３)  取り出し忘れの投稿
また、加熱調理器１００の制御装置１１０は、加熱室２内から被調理物が取り出されていない[取り出し忘れ情報]を、調理終了投稿部１１０ｂにより、無線通信モジュール１２０,無線アクセスポイント２００およびインターネット網Ｎを介して家族伝言板サーバ４
００が管理する家族伝言板に投稿する。
【００５１】
図６は上記加熱調理器１００から投稿された取り出し忘れ通知の一例を家族伝言板に表示したスマートフォン３００の画面を示している。図６では、画面上側から下側に向かっ
て、「メッセージ」と「伝言ボード」の文字と、加熱調理器１００を擬人化した顔画像Ｇ１と、「レンジさん」という文字と、投稿時刻と、「料理の取り出しを忘れていますよ〜」の文字が表示されている。
【００５２】
取り出し情報投稿部１１０ｃは、加熱調理が終了してから所定時間経過しても加熱室２内から被調理物を取り出していない場合は、[取り出し忘れ情報]である取り出し忘れ通知を家族伝言板に投稿する。
【００５３】
例えば、この実施形態の加熱調理器１００では、加熱調理が終了してから１分毎にスピーカ２０(図３に示す)からメロディを出力して、料理の取り出し忘れを知らせ、調理終了から５分が経過したら取り出し忘れ通知を家族伝言板に投稿するようにしている。
【００５４】
なお、取り出し忘れ通知を投稿するときに実行された調理メニューに関する情報(メニ
ュー名や画像)を同時に表示することによって、例えば取り出し忘れると加熱調理器１０
０に臭いのこもりがちな調理メニューなどが実行されたことを認識可能となり、実際に加熱調理器１００を操作していないユーザーが、加熱調理器１００を操作したと思われるユーザーに対して注意を促すことなどが可能となる。
【００５５】
なお、スマートフォン３００側において、「取り出し忘れ通知」が不要なユーザーは、通知拒否の設定ができるようにして、不必要な通知による煩わしさを解消する(加熱調理
器１００からの他の投稿についても同様)。
【００５６】
４)  加熱調理器状態の投稿
また、加熱調理器１００の制御装置１１０は、調理メニューの加熱調理中における加熱調理器状態に関わる[加熱調理情報]を、加熱調理器状態投稿部１１０ｄにより、無線通信モジュール１２０,無線アクセスポイント２００およびインターネット網Ｎを介して家族
伝言板サーバ４００が管理する家族伝言板に投稿する。
【００５７】
図７は上記加熱調理器１００から投稿された加熱調理器状態の通知の一例を家族伝言板に表示したスマートフォン３００の画面を示している。図７では、画面上側から下側に向かって、「メッセージ」と「伝言ボード」の文字と、加熱調理器１００を擬人化した顔画像Ｇ１と、「レンジさん」という文字と、投稿時刻と、「あと５分でできます。」の文字が表示されている。
【００５８】
また、加熱調理器状態の通知としては、「後、○分で□□□ができます」などの文字や、図１６に示すように、加熱調理器(擬人化)の画像(シール)と「調理中」の文字でもよい。
【００５９】
次に、管理サーバ５００の動作について説明する。管理サーバ５００は、通信部５００ｅによりインターネット網Ｎを介してスマートフォン３００や家族伝言板サーバ４００と通信を行う。
【００６０】
上記加熱調理器１００の制御装置１１０(実行調理メニュー投稿部１１０ａ)から投稿された[実行した調理メニューの情報]を調理履歴として履歴記憶部５００ａに記憶する。また、スマートフォン３００の各ユーザーから投稿された食事履歴(加熱調理器を用いた食
事以外の食事内容)を履歴記憶部５００ａに記憶する。上記履歴記憶部５００ａに記憶さ
れる調理履歴および食事履歴は、ユーザーの食生活に関わる履歴である。
【００６１】
ここで、スマートフォン３００にインストールされたアプリケーションソフトウェア(
家族伝言板サービスおよび食事メニュー投稿部３００ａの機能を含む)により、例えばリ
ストから選択するような入力形式でユーザーの食事履歴を投稿する。
【００６２】
なお、加熱状態の通知において、「後、○分で□□□ができます」などの加熱調理器１００側の加熱時間のカウントは、別にスマートフォン３００側に加熱調理がスタートした時刻を家族伝言板により通知することで、調理メニューの[レシピ情報]から調理時間を得てスマートフォン３００側でカウントダウンして、「後、○分で□□□ができます」の表示をするようにしてもよい。この場合、加熱状態の通知を加熱調理器１００から投稿しなくともよい。
【００６３】
また、加熱調理器の表示画面がスマートフォン３００でそのまま見られるアプリケーションソフトウェアをスマートフォン３００にインストールして、加熱調理器状態を確認するようにしてもよい。
【００６４】
５)  おすすめ調理メニューの提案
上記管理サーバ５００の調理メニュー提案部５００ｂは、履歴記憶部５００ａに記憶された調理履歴および食事履歴に基づいて、おすすめ調理メニューを提案し、そのおすすめ調理メニューの情報を調理メニュー投稿部５００ｃにより、家族伝言板サーバ４００が管理する家族伝言板に投稿する。ここで、管理サーバ５００の調理メニュー投稿部５００ｃは、加熱調理器１００の代理として、おすすめ調理メニューの情報を家族伝言板に投稿する。すなわち、ユーザーには、スマートフォン３００の家族伝言板に加熱調理器１００がおすすめ調理メニューを投稿しているように見える。
【００６５】
図８は上記管理サーバ５００の調理メニュー投稿部５００ｃから投稿されたおすすめ調理メニューを家族伝言板に表示したスマートフォン３００の画面を示している。図８では、画面上側から下側に向かって、「メッセージ」と「伝言ボード」の文字と、加熱調理器１００を擬人化した顔画像Ｇ１と、「レンジさん」という文字と、投稿時刻と、「今日は、クリスマスですね。クリスマスらしい、こちらのメニューはいかがですか〜？  レンジで簡単につくれますよ。」という文字と、「リンク」ボタンの画像Ｇ３と、複数のおすすめ調理メニューの写真の画像Ｇ４が表示されている。
【００６６】
図８に示すおすすめ調理メニューの画面の「リンク」ボタンの画像Ｇ３を操作すると、図９に示すレシピサイトのレシピ詳細画面がスマートフォン３００に表示される。このレシピサイトは、管理サーバ５００で管理されており、スマートフォン３００にインストールされたアプリケーションソフトにより提供される家族伝言板上で閲覧される。なお、レシピサイトは、別の情報提供サーバにより管理されていてもよい。
【００６７】
図９では、画面上側から下側に向かって、「レシピ詳細」の文字と、「ダウンロード画面へ」ボタンの画像Ｇ１１と、「お気に入り」ボタンの画像Ｇ１２と、「買物リスト」ボタンの画像Ｇ１３と、おすすめ調理メニューの写真の画像Ｇ１４と、メニュー名と、レシピが表示されている。
【００６８】
そして、図９に示すレシピ詳細画面の「ダウンロード画面へ」ボタンの画像Ｇ１１を操作すると、図１０に示すダウンロード画面がスマートフォン３００に表示される。図１０では、画面上側から下側に向かって、「ダウンロード」の文字と、メニュー名と、おすすめ調理メニューの写真の画像Ｇ１４と、「レンジで作る」ボタンの画像Ｇ１５が表示されている。
【００６９】
ここで、おすすめ調理メニューの[レシピ情報]が加熱調理器１００に登録されていない場合、スマートフォン３００の画面の「レンジで作る」ボタンを操作すると、調理メニュー提案部５００ｂから投稿されたメッセージ(図１１に示す)がスマートフォン３００に表
示される。
【００７０】
図１１は図１０に示すダウンロード画面からダウンロードをスタートさせたときに表示されるスマートフォン３００の画面を示している。図１１では、画面上側から下側に向かって、「メッセージ」と「伝言ボード」の文字と、加熱調理器１００を擬人化した顔画像の画像Ｇ１と、「レンジさん」という文字と、投稿時刻と、「お母さんからのお願いで、このレシピをダウンロードするね。」の文字、「レシピ詳細はこちら」の文字、「リンク」ボタンの画像Ｇ２０と、おすすめ料理の写真の画像Ｇ２１が表示されている。
【００７１】
次に、管理サーバ５００から[おすすめ調理メニューの写真画像]と[メニュー名]および[レシピ情報]が加熱調理器１００にダウンロードされ、ダウンロードが終了すると、加熱調理器１００から[おすすめ調理メニューに関わる情報]のダウンロードが終了した通知メッセージを、家族伝言板サーバ４００が管理する家族伝言板に投稿する。
【００７２】
これにより、図１１に示す画面の下側に、加熱調理器１００を擬人化した顔画像Ｇ１と、「レンジさん」という文字と、投稿時刻と、「レシピ受け取ったよ。作ってくれるの楽しみにしてるね。」の文字がスマートフォン３００に表示される。
【００７３】
なお、図１１に示す伝言ボード画面の「リンク」ボタンの画像Ｇ２０を操作すると、図９に示すレシピサイトに移っておすすめ調理メニューについてのレシピ詳細画面がスマートフォン３００に表示される。
【００７４】
一方、おすすめ調理メニューの[レシピ情報]が加熱調理器１００に登録されている場合、スマートフォン３００の画面の「レンジで作る」ボタンの画像Ｇ１５を操作すると、調理メニュー提案部５００ｂから投稿されたメッセージ(図１２に示す)がスマートフォン３００に表示される。
【００７５】
図１２は図１０に示すダウンロード画面からダウンロードをスタートさせたときに表示されるスマートフォン３００の画面を示している。図１２では、画面上側から下側に向かって、「メッセージ」と「伝言ボード」の文字と、加熱調理器１００を擬人化した顔画像Ｇ１と、「レンジさん」という文字と、投稿時刻と、「お母さんからのお願いで、このレシピを呼び出すね。」の文字、「レシピ詳細はこちら」の文字、「リンク」ボタンの画像Ｇ２０と、おすすめ料理の写真の画像Ｇ２１が表示されている。
【００７６】
次に、管理サーバ５００から[おすすめ調理メニューの写真画像]と[メニュー名]が加熱調理器１００にダウンロードされ、ダウンロードが終了すると、加熱調理器１００からおすすめ調理メニューに関わる情報のダウンロードが終了した通知メッセージを、家族伝言板サーバ４００が管理する家族伝言板に投稿する。
【００７７】
これにより、図１２に示す画面の下側に、加熱調理器１００を擬人化した顔画像Ｇ１と、「レンジさん」という文字と、投稿時刻と、「レシピ呼び出し完了したよ。いつでもすぐに作れるよ。」の文字がスマートフォン３００に表示される。
【００７８】
また、図９において、「お気に入り」ボタンの画像Ｇ１２を操作すると、おすすめ調理メニューから選択された調理メニューが、管理サーバ５００のお気に入り調理メニュー記憶部１１０ｆに登録される。このお気に入り調理メニュー記憶部１１０ｆには、最新の登録メニューから過去３０件のお気に入り調理メニューが記憶される。
【００７９】
また、図９において、「買物リスト」ボタンの画像Ｇ１３を操作すると、買い物リスト登録の画面が表示され、選択された調理メニューに必要な食材のリストから買い物が必要
な食材をチェックすることで買い物リストが登録できるようになっている。この買い物リストは、管理サーバ５００に登録される。
【００８０】
図１３は上記加熱調理器１００のカラー液晶表示部１０に表示された第１トップ画面を示しており、縦３列×横２列の６つの画像が表示されている。このカラー液晶表示部１０の左上側から「あたため」の文字を含む画像Ｇ３１と「冷凍食品(市販品)」の文字を含む画像Ｇ３２と「カンタン焼き・蒸し」の文字を含む画像Ｇ３３が表示され、右上側から「スピードメニュー」の文字を含む画像Ｇ３４と「焼き・蒸し同時メニュー」の文字を含む画像Ｇ３５と「解凍」の文字を含む画像Ｇ３６が表示されている。そして、カラー液晶表示部１０の第１トップ画面の画像Ｇ３３,Ｇ３５の下側に第１トップ画面または第２トッ
プ画面のいずれが表示されているかを示す「１」の画像Ｇ３７と「２」の画像Ｇ３８が表示されている。さらに、カラー液晶表示部１０の第１トップ画面の下側中央に「設定」ボタンの画像Ｇ３９と、「次へ＞」ボタンの画像Ｇ４０を表示している。なお、カラー液晶表示部１０の最上部には、無線通信モジュール１２０と無線アクセスポイント２００との間で無線ＬＡＮによる通信が可能な状態を示すアンテナマークの画像Ｇ３０が表示されている。また、何らかの原因で無線ＬＡＮによる通信が不可の場合は、アンテナマークに×印がついた状態で表示される。
【００８１】
なお、上記第２トップ画面では、図示しないが、「お料理選択」の文字を含む画像と、「ヘルシー食セット」の文字を含む画像と、「手動レンジ」の文字を含む画像と、「ダウンロードメニュー」の文字を含む画像と、「入門メニュー」の文字を含む画像と、「除菌・お手入れ」の文字を含む画像が表示される。
【００８２】
図１３では、「１」の画像Ｇ３７の背景を白色にし、「２」の画像Ｇ３８の背景を灰色にすることによって、カラー液晶表示部１０の第１トップ画面が表示されていることを示している。
【００８３】
この状態から、管理サーバ５００が管理するレシピサイトから[おすすめ調理メニュー
の写真画像]と[メニュー名]が加熱調理器１００にダウンロードされると、図１４に示す
ように、カラー液晶表示部１０の第１トップ画面の左下側に加熱調理器１００を擬人化した顔画像Ｇ４１と、「新着メニュー」の文字を含む「新着メニュー」ボタンの画像Ｇ４２が表示され、顔画像Ｇ４１の背景の色が一定間隔で赤く点滅することにより、おすすめ調理メニューがダウンロードされたことをユーザーに知らせる。
【００８４】
次に、加熱調理器１００のカラー液晶表示部１０に表示された「新着メニュー」ボタンの画像Ｇ４２を操作すると、図１５に示すように、レシピサイトからダウンロードされた新着のおすすめ調理メニュー(図５では一例として「チキンステーキ」)についての選択画面がカラー液晶表示部１０に表示される。
【００８５】
図１５では、画面の上側から下側に向かって、「カロリーダウン」の文字と、メニューのカロリー数である「３１５ｋｃａｌ」の文字と、メニュー名「チキンステーキ」の文字と、調理の写真の画像Ｇ５１と、左下側の「＜前へ」ボタンの画像Ｇ５２と、下側中央「決定」ボタンの画像Ｇ５３と、右下側に「次へ＞」ボタンの画像Ｇ５４が表示されている。
【００８６】
ここで、加熱調理器１００のカラー液晶表示部１０に表示された「決定」ボタンの画像Ｇ５３を操作すると、「チキンステーキ」の加熱調理のためのスタート画面に変わる。一方、「＜前へ」ボタンの画像Ｇ５２または「次へ＞」ボタンの画像Ｇ５４を操作すると、「チキンステーキ」以外の登録済のおすすめ調理メニューがカラー液晶表示部１０に表示される。加熱調理器１００は、加熱調理器１００に登録されているおすすめ調理メニュー
の[レシピ情報]と、加熱調理器１００にダウンロードされたおすすめ調理メニューの[レ
シピ情報]の両方を記憶し、加熱調理器１００に記憶された複数のおすすめ調理メニュー
からユーザーが選択可能なようにしている。
【００８７】
なお、この図１５に示すようなダウンロードされたおすすめ調理メニューは、加熱調理器１００においてカラー液晶表示部１０の第２トップ画面(図示せず)の「ダウンロードメニュー」ボタンの画像を操作すると、図１５に示すようなダウンロードされた複数のおすすめ調理メニューのうちの１つが表示され、「＜前へ」ボタンや「次へ＞」ボタンにより他のおすすめ調理メニューを選択できる。加熱調理器１００では、最新のダウンロードされたおすすめ調理メニューから過去１５件までのおすすめ調理メニューが登録される。
【００８８】
なお、加熱調理器１００は、管理サーバ５００からのおすすめ調理メニューの一部を音声だけで出力して、ユーザーがスマートフォン３００で家族伝言板を閲覧するように誘導するようにしてもよい。この場合、スマートフォン３００で全部のおすすめ調理メニューを表示して、スマートフォン３００の操作により複数のおすすめ調理メニューのうちから１つを選択して、選択されたおすすめ調理メニューを管理サーバ５００から加熱調理器１００にダウンロードする。
【００８９】
図１６は上記加熱調理器１００から投稿された加熱調理器状態の通知の一例であるシールを家族伝言板に表示したスマートフォン３００の画面を示している。図１６では、加熱調理器１００を擬人化した顔画像Ｇ１と、「レンジさん」という文字と、投稿時刻と、加熱調理器１００が調理具を両手に持った画像Ｇ５０と、「調理中」の文字が表示されている。
【００９０】
６)  加熱調理器１００に対する問い合わせ
また、スマートフォン３００から加熱調理器１００に対する問い合わせメッセージを、家族伝言板サーバ４００が管理する家族伝言板に投稿する。そうすると、家族伝言板サーバ４００に投稿された上記問い合わせメッセージに従って、加熱調理器１００からの応答メッセージとして家族伝言板に投稿する。ここで、問い合わせメッセージの内容によっては、管理サーバ５００が加熱調理器１００を代理して応答メッセージを家族伝言板に投稿する。
【００９１】
図１７は上記加熱調理器１００に対して問い合わせるシールの一覧を家族伝言板に表示したスマートフォン３００の画面を示している。図１７では、「操作を選ぶ」という文字と、加熱調理器１００を擬人化した顔画像Ｇ１と、複数のシールの画像Ｇ６０が表示されている。
【００９２】
この複数のシールの画像Ｇ６０のうちの１つのシールを選択して、新規メッセージの画像として送信すなわち家族伝言板に投稿することにより、シールに応じた応答メッセージが管理サーバ５００または加熱調理器１００から家族伝言板に投稿される。
【００９３】
ここで、複数のシールとして、例えば、
「お気に入りリスト表示」  ：管理サーバ５００のお気に入り調理メニュー記憶部１１０ｆに登録されたお気に入り調理メニューを表示する。
【００９４】
「買い物リスト表示」      ：管理サーバ５００に登録された買い物リストを表示する。
【００９５】
「人気閲覧メニュー教えて」 ：複数の家族伝言板からレシピサイトで閲覧された人
気の高い調理メニューのリストを表示する。
【００９６】
「人気調理メニュー教えて」 ：複数の家族伝言板からレシピサイトでダウンロード
された人気の高い調理メニューのリストを表示する。
【００９７】
「電気代教えて」          ：加熱調理器１００の電力使用量に基づく電気料金について月毎または日毎のリストを表示する。
【００９８】
「今日使ったかな？」      ：加熱調理器１００の今日１日の調理履歴を表示する。
【００９９】
「状態教えて」            ：加熱調理器１００の現在の状態(調理中または待機中
またはエラー状態など)を表示する。
【０１００】
「調理メニュー履歴教えて」：加熱調理器１００の調理履歴を表示する。
などがある。
【０１０１】
なお、上記加熱調理器１００に対して問い合わせるシールは、図１７に示すシールに限らず、他の問合せ用途のシールでもよい。また、加熱調理器１００に対して制御を指令するシールでもよく、例えば、「伝言」シールなどと一緒に、音声による伝言メッセージを家族伝言板に投稿するようにしてもよい。この場合、伝言メッセージが家族伝言板に投稿されると、管理サーバ５００を介して伝言メッセージが加熱調理器１００にダウンロードされて、加熱調理器１００に伝言メッセージがあることを表示または音声出力によりユーザーに通知し、ユーザーが加熱調理器１００を操作することにより伝言メッセージをスピーカ２０(図３に示す)で再生する。
【０１０２】
図１８は上記加熱調理器１００に対して１日の調理履歴を問い合わせるシールの一例を家族伝言板に表示したスマートフォン３００の画面を示している。図１８では、お母さんの顔画像Ｇ６１と、「お母さん」という文字と、投稿時刻と、「今日使ったかな？」の文字を含む画像Ｇ６２と、「今日使ったかな？」の文字が表示されている。
【０１０３】
上記管理サーバ５００は、家族伝言板サーバ４００に投稿されたシールとメッセージ(
「今日使ったかな？」)に従って、履歴記憶部５００ａに記憶された調理履歴に基づいて
、今日１日の調理履歴を加熱調理器１００からのメッセージとして家族伝言板に投稿する。
【０１０４】
これにより、スマートフォン３００の家族伝言板において、今日１日の調理履歴を閲覧できる。
【０１０５】
例えば、高齢の親の家の加熱調理器１００に対して今日１日の調理履歴を遠隔地から子が確認することで親の様子を知ることができる(見守り用途)。これにより、子のユーザーがスマートフォン３００により家族伝言板上からレシピサイトを閲覧して、親に勧める調理メニューを選んで、親の家の加熱調理器１００へおすすめの調理メニューの[レシピ情
報]をダウンロードすることが可能になる。
【０１０６】
また、図１９は上記加熱調理器１００に対して調理履歴を問い合わせるシールを家族伝言板に表示したスマートフォン３００の画面を示している。図１９では、お母さんの顔画像Ｇ６１と、「お母さん」という文字と、投稿時刻と、「調理履歴」の文字を含む画像Ｇ６３と、「調理メニュー履歴を教えて」の文字が表示されている。
【０１０７】
上記管理サーバ５００は、家族伝言板サーバ４００に投稿されたシールとメッセージ(
「調理メニュー履歴を教えて」)に従って、履歴記憶部５００ａに記憶された調理履歴を
加熱調理器１００からのメッセージとして家族伝言板に投稿する。
【０１０８】
これにより、スマートフォン３００の家族伝言板において、加熱調理器１００の調理履歴を閲覧できる。
【０１０９】
また、図２０は上記加熱調理器１００に対しておすすめメニューを問い合わせるシールを家族伝言板に表示したスマートフォン３００の画面を示している。図２０では、お母さんの顔画像Ｇ６１と、「お母さん」という文字と、投稿時刻と、「おすすめメニュー」の文字を含む画像Ｇ６４と、「おすすめメニューを教えて」の文字が表示されている。
【０１１０】
上記管理サーバ５００は、家族伝言板サーバ４００に投稿されたシールとメッセージ(
「おすすめメニューを教えて」)に従って、調理メニュー提案部５００ｂにより提案され
たおすすめ調理メニューの一覧を加熱調理器１００からのメッセージとして家族伝言板に投稿する。
【０１１１】
これにより、スマートフォン３００の家族伝言板において、おすすめ調理メニューの一覧を確認できる。
【０１１２】
図１１,図１２では、加熱調理器１００にレシピサイトからの調理メニューの[レシピ情報]のダウンロードの受信完了したことを文字メッセージにより家族伝言板に投稿したが
、ダウンロードの受信完了はこれに限らず、図２１に示すように、加熱調理器１００にレシピサイトからの調理メニューの[レシピ情報]のダウンロードの受信完了したことを示すシールを家族伝言板に投稿してもよい。図２１では、加熱調理器１００を擬人化した顔画像Ｇ１と、「レンジさん」という文字と、投稿時刻と、「メニュー受信完了」の文字を含む加熱調理器１００の画像Ｇ７１と、「メニュー受信完了」の文字が表示されている。
【０１１３】
上記加熱調理器１００の家族伝言板への投稿は、上述のメッセージだけでなく、加熱調理器状態の情報として加熱調理器１００の[エラー情報]などが家族伝言板に投稿される。
【０１１４】
図２２は上記加熱調理器１００から投稿された[エラー情報]のシールの一例を家族伝言板に表示したスマートフォン３００の画面を示している。図２２では、加熱調理器１００を擬人化した顔画像Ｇ１と、「レンジさん」という文字と、投稿時刻と、「エラーー」の文字を含み、加熱調理器１００が震えている画像Ｇ７２と、「エラー」の文字が表示されている。
【０１１５】
この場合、加熱調理器１００は、何らかの故障により正常動作ができない状態である。
【０１１６】
また、図２３は上記加熱調理器１００から投稿されたエラー情報(高温異常)のシールの一例を家族伝言板に表示したスマートフォン３００の画面を示している。図２３では、加熱調理器１００を擬人化した顔画像Ｇ１と、「レンジさん」という文字と、投稿時刻と、擬人化された加熱調理器１００が暑さでのぼせている画像Ｇ７３と、「熱いよ〜」の文字が表示されている。
【０１１７】
この場合、加熱調理器１００は、何らかの原因により加熱室２内または本体ケーシング１内が高温になった状態である。
【０１１８】
なお、上記加熱調理器１００からは、加熱室２内の清掃などの[メンテナンス情報]を家族伝言板に投稿して、ユーザーにメンテナンス作業を促すようにしてもよい。
【０１１９】
上記構成の加熱調理システムによれば、加熱調理器１００において[実行した調理メニ
ューに関わる情報]または[加熱調理器本体の状況に関わる情報]を、加熱調理器１００の
実行調理メニュー投稿部１１０ａ,調理終了投稿部１１０ｂ,取り出し情報投稿部１１０ｃ,加熱調理器状態投稿部１１０ｄから家族伝言板サーバ４００(コミュニケーションツール管理部)にインターネット網Ｎを介して投稿することによって、スマートフォン３００(情報端末)からの制御要求がなくても、加熱調理特有の情報を家族伝言板サーバ４００の家
族伝言板(コミュニケーションツール)を利用して加熱調理器１００からユーザーのスマートフォン３００(情報端末)に通知することができ、利便性を大幅に向上できる。
【０１２０】
また、上記調理メニューの調理が終了したことを表す[調理終了情報]を、家族伝言板を利用して加熱調理器１００からユーザーのスマートフォン３００(情報端末)に通知するので、ユーザーが加熱調理器１００から離れた場所にいても、スマートフォン３００により加熱調理器１００の調理終了を知ることができる。
【０１２１】
また、上記調理メニューの調理が終了してから予め設定された時間経過しても、加熱室内から被調理物が取り出されていない状態であることを表す[取り出し忘れ情報]を、家族伝言板を利用して加熱調理器１００からユーザーのスマートフォン３００(情報端末)に通知するので、ユーザーが加熱調理器１００から離れてしまって被調理物の取り出しを忘れても、スマートフォン３００により取り出し忘れを知ることができる。
【０１２２】
また、上記調理メニューの加熱調理中における加熱調理器状態に関わる[加熱調理情報]を、家族伝言板(コミュニケーションツール)を利用して加熱調理器１００からユーザーのスマートフォン３００(情報端末)に通知するので、ユーザーが加熱調理器１００から離れた場所にいても、加熱調理中における加熱調理器状態を知ることができる。
【０１２３】
また、上記管理サーバ５００の履歴記憶部５００ａにユーザーの食生活に関わる履歴を記憶し、その履歴に基づいて、管理サーバ５００の調理メニュー提案部５００ｂによりおすすめの調理メニューを提案する。そうして、調理メニュー提案部５００ｂにより提案された調理メニューの提案に関わる情報を、調理メニュー投稿部５００ｃにより家族伝言板サーバ４００(コミュニケーションツール管理部)の家族伝言板に投稿する。これにより、ユーザーに最適な調理メニューをスマートフォン３００(情報端末)を通じてユーザーに提案することができる。これにより、例えば、栄養バランスのとれた調理メニューなどを提案することにより偏食を防ぎ、健康的な食生活を実現することができる。
【０１２４】
また、上記加熱調理器１００から投稿された[実行した調理メニューに関わる情報]または[加熱調理器本体の状況に関わる情報]に基づく加熱調理器１００の調理履歴を管理サーバ５００の履歴記憶部５００ａに記憶するので、加熱調理器１００の調理履歴に基づいた最適なおすすめの調理メニューを提案できる。
【０１２５】
また、上記スマートフォン３００(情報端末)から投稿された[ユーザーの食事メニュー
に関わる情報]に基づくユーザーの食事履歴を管理サーバ５００の履歴記憶部５００ａに
記憶する。ここで、ユーザーの食事メニューは、加熱調理器１００で調理していないメニューであり、外食などのメニューも含まれる。これにより、加熱調理器１００を用いた調理メニューの割合が比較的少ない場合、加熱調理器１００の調理していない食事メニューの情報に基づいて、おすすめの調理メニューを提案することで、最適な調理メニューを提案できる。
【０１２６】
また、加熱調理器１００の調理履歴およびユーザーの食事メニューの両方に基づいて、おすすめの調理メニューを提案することで、より最適な調理メニューを提案できる。
【０１２７】
７)  加熱調理器１００の実行直前モード
上記加熱調理器１００が待機モードのとき、スマートフォン３００から管理サーバ５００を介して加熱調理器１００に調理メニューの加熱調理の実行を準備する指令を行うことができる。
【０１２８】
ここで、「待機モード」とは、例えば、運転停止状態でかつ加熱調理の操作などが一定時間ないときに、カラー液晶表示部１０を含む主要回路の電源を遮断して必要最低限の回路に電源を供給する状態や、あるいは、加熱調理の操作がされていない運転停止状態などである。
【０１２９】
以下に、加熱調理器１００の実行直前モードについて説明する。
【０１３０】
まず、スマートフォン３００にインストールされたアプリケーションソフトウェア(調
理メニュー情報送信部３００ｂ)によって、[調理メニューの実行を準備する指令に関わる情報]がインターネット網Ｎを介して管理サーバ５００に送信される。
【０１３１】
この管理サーバ５００に送信された[調理メニューの実行を準備する指令に関わる情報]に基づいて、管理サーバ５００は、加熱調理器１００に調理メニューの実行を準備する指令をインターネット網Ｎを介して送信する。そして、管理サーバ５００から調理メニューの実行を準備する指令を加熱調理器１００が受けると、加熱調理器１００は、待機モードから調理メニューの加熱調理を開始可能な実行直前モードに切り換わる。
【０１３２】
この実施形態では、管理サーバ５００から加熱調理器１００への調理メニューの実行を準備する指令は、調理メニューに対応する[メニュー名]と[調理画像の情報]および[調理
シーケンス]の加熱調理器１００へのダウンロードであり、調理シーケンスについては、
必要なときに加熱調理器１００にダウンロードされる。上記調理メニューに対応する[メ
ニュー名]と[調理画像の情報]および[調理シーケンス]は、管理サーバ５００のレシピ情
報記憶部５００ｄに記憶されている。
【０１３３】
このダウンロードが終了すると、加熱調理器１００は、調理メニューのスタート待ち状態となる。
【０１３４】
図２４は上記家族伝言板のカレンダーを表示したスマートフォンの画面を示している。図２４では、一月分のカレンダーの画像Ｇ１と、予定リストの文字と画像Ｇ１０２が表示されている。
【０１３５】
このカレンダーは、メッセージ(図５〜図８に示す)の機能と共に家族伝言板の一機能である。この図２４に示す「カレンダー」の左側の「メニュー」選択ボタン(画像Ｇ１０３)をタッチして選択すると、図２５に示すメニューが表示される。
【０１３６】
この図２５では、ユーザーの顔画像Ｇ１１０と「お母さん」の文字と、ホームを選択するときの画像Ｇ１１１と、「メッセージ」を選択するときの画像Ｇ１１２と、「カレンダー」を選択するときの画像Ｇ１１３と、…、「レシピサイト」を呼び出すときの画像Ｇ１１４が表示されている。ここでは、カレンダーが選択されているので、画像Ｇ１１３の背面色が濃くなっている。
【０１３７】
次に、図２５に示す画像Ｇ１１４(「レシピサイト」)をタッチして選択すると、図２６に示す「レシピサイト」が呼び出される。そして、スマートフォン３００の画面にレシピサイトの検索メニューが表示される。
【０１３８】
この図２６では、上側から順に、検索するメニュー名の入力欄の画像Ｇ１２１と、食材
リストから検索するための選択ボタンの画像Ｇ１２２(「素材」)と、お総菜リストから検索するための選択ボタンの画像Ｇ１２３(「お総菜」)と、お菓子・パンのリストから検索するための選択ボタンの画像Ｇ１２４(「お菓子・パン」)と、日替わりおすすめメニューの文字などと料理の写真を含む画像Ｇ１２５と、人気メニュー週間ランキングの文字と料理の写真を含む画像Ｇ１２６が表示されている。
【０１３９】
ここで、例えば、選択ボタンの画像Ｇ１２３を選択すると、図２７に示すように、このレシピサイトの検索結果をスマートフォン３００の画面に表示する。
【０１４０】
この図２７の例では、「キャベツと蒸し鶏」の中華風の文字と料理の写真を含む画像Ｇ１３１と、「魚のねぎ蒸し＆鶏肉のポン酢漬け」の文字と料理の写真を含む画像Ｇ１３２と、「鶏唐揚げ風オニオンソース定食」の文字と料理の写真を含む画像Ｇ１３３と、「鶏そぼろ」の文字と料理の写真を含む画像Ｇ１３４と、「鶏だんごの中華あんかけ＆ポテト…」の文字と料理の写真を含む画像Ｇ１３５が表示されている。
【０１４１】
例えば、外出中の母親が、帰宅した子供のために「肉まん」を加熱調理器１００で温めてすぐに食べられるように、加熱調理器１００を「レンジであたためる」の実行直前モードにする場合について、図２８〜図３０に従って説明する。
【０１４２】
まず、「レシピサイト」(図２６に示す)で「肉まん」を検索して、図２８に示す「肉まんあたため」のレシピ詳細をスマートフォン３００の画面に表示する。
【０１４３】
この図２８では、「レンジで作る」を選択するための選択ボタンの画像Ｇ１４１と、「お気に入り」に登録するための選択ボタンの画像Ｇ１４２と、「買物リスト」を作成するための選択ボタンの画像Ｇ１４３と、「肉まん」の写真を含む画像Ｇ１４４と、「肉まんあたため」の文字の画像Ｇ１４５が表示されている。
【０１４４】
そして、図２８に示す画像Ｇ１４１(「レンジで作る」)をタッチして選択すると、図２９に示す「レンジで作る」のスタート画面をスマートフォン３００の画面に表示する。
【０１４５】
この図２９では、「肉まんあたため」の文字の画像Ｇ１５１と、「肉まん」の写真の画像Ｇ１５２と、「レンジであたためる」を指令するための選択ボタンの画像Ｇ１５３が表示されている。
【０１４６】
図２９に示す画像Ｇ１５３(「レンジであたためる」)をタッチして選択すると、スマートフォン３００から管理サーバ５００に「肉まん」をあたためるという[調理メニューの
実行を準備する指令に関わる情報]を送信する。
【０１４７】
このとき、スマートフォン３００から「肉まん」をあたためるという[調理メニューの
実行を準備する指令に関わる情報]を管理サーバ５００が受けると、管理サーバ５００が
加熱調理器１００に代わって、加熱調理器１００を「レンジであたためる」の実行直前モードにしたことを知らせる通知を家族掲示板に投稿する(図３０に示す)。
【０１４８】
図３０では、画面上側から下側に向かって、「メッセージ」と「伝言ボード」の文字と、加熱調理器１００を擬人化した顔画像の画像Ｇ１６１と、「レンジさん」という文字と、投稿時刻と、「お母さんからのお願いで、このレシピを呼び出すね。」の文字、「レシピ詳細はこちら」の文字、「リンク」ボタンの画像Ｇ１６２と、「肉まん」の写真の画像Ｇ２１が表示されている。
【０１４９】
上記家族伝言板サーバ４００によって、複数のスマートフォン３００のうちの１つから
管理サーバ５００を介して調理メニューの実行を準備する指令が加熱調理器１００に送信されたことを、複数のスマートフォン３００のうちの他のスマートフォン３００に通知するための情報を家族伝言板サーバ４００に投稿するので、例えば、母親のスマートフォン３００から加熱調理器１００に対して調理メニューの実行を準備する指令がされ、加熱調理器１００が調理メニューの加熱調理を開始可能な実行直前モードになっていることを子供のスマートフォン３００にコミュニケーションツールを介して通知することができ、利便性が向上する。
【０１５０】
なお、図３０に示す伝言ボード画面の「リンク」ボタンの画像Ｇ１６２を操作すると、図９に示すレシピサイトに移って「肉まんあたため」についてのレシピ詳細画面がスマートフォン３００に表示される。
【０１５１】
このように、管理サーバ５００は、スマートフォン３００の調理メニュー情報送信部３００ｂから送信された加熱調理器１００で実行するための調理メニューに関わる情報に基づいて、加熱調理器１００に管理サーバ５００から調理メニューの実行を準備する指令をインターネット網Ｎを介して送信する。そして、管理サーバ５００から調理メニューの実行を準備する指令を加熱調理器１００が受けると、加熱調理器１００は、動作モード切換部１００ｈによって待機モードなどから調理メニューの加熱調理を開始可能な実行直前モードに動作モードが切り換わる。これにより、ユーザーのスマートフォン３００から管理サーバ５００を介して加熱調理器１００に調理メニューを指定でき、指定された調理メニューについて加熱調理器１００を実行可能な状態にすることができ、利便性を向上できる。
【０１５２】
上記加熱調理器１００の実行直前モードにおいて加熱室２を開閉するドアを開けたとき、ドアセンサ５０(図３に示す)からのドア開を表す信号に基づいて、加熱調理器１００は、調理メニューの加熱調理が開始可能であることをカラー液晶表示部１０に表示するので、ユーザーはスマートフォン３００から加熱調理器１００に調理メニューが指定されていることを容易に知ることができる。
【０１５３】
なお、加熱調理器１００の実行直前モードにおいて加熱室２を開閉するドアを開けたときに、カラー液晶表示部１０による表示だけでなく、音声により調理メニューの加熱調理が開始可能であることをユーザーに通知してもよい。
【０１５４】
また、上記加熱調理器１００の調理メニュー記憶部１１０ｅに記憶された調理メニューの実行を準備する指令を管理サーバ５００から加熱調理器１００が受けた場合、調理メニューに対応する[メニュー名]と[調理画像の情報]が管理サーバ５００からダウンロードされる。これにより、調理メニュー記憶部１１０ｅに記憶された調理メニューの調理シーケンスを利用でき、通信時間や通信データ量を短縮できる。
【０１５５】
また、上記調理メニュー記憶部１１０ｅに登録されていない調理メニューの実行を準備する指令を管理サーバ５００から加熱調理器１００が受けた場合、調理メニューに対応する[メニュー名]と[調理画像の情報]および[調理シーケンス]が管理サーバ５００からダウンロードされる。これにより、調理メニュー記憶部１１０ｅに記憶されていない調理メニューも実行することができる。
【０１５６】
また、上記加熱調理器１００が実行可能な実行直前モードの状態から、あたためスタートキー１３の１タッチ操作で、管理サーバ５００から指定された調理メニューの加熱調理を開始するので、操作性が大幅に向上する。
【０１５７】
なお、加熱調理器１００が実行可能な実行直前モードの状態から、あたためスタートキ
ー１３を含む操作パネル９の２タッチ操作で、管理サーバ５００から指定された調理メニューの加熱調理を開始するようにしてもよい。
【０１５８】
８)  加熱調理器１００への食材配置のダウンロード
上記加熱調理器１００は、調理メニュー記憶部１１０ｅに記憶された調理メニューを実行するとき、または、管理サーバ５００からダウンロードされた調理メニューを実行するとき、管理サーバ５００から加熱調理器１００に[食材配置の画像情報]がダウンロードされて、加熱調理器１００のカラー液晶表示部１０に実行する調理メニューの食材配置を表示する。
【０１５９】
図３１は上記加熱調理器１００のカラー液晶表示部１０に表示された食材配置の画面の一例を模式的に示している。図３１は、矩形状のトレイ９０上に調理網８０が載置された状態を上方から見た図であり、図３１の下側が前面側、上側が後面側である。この調理網８０上に、鶏肉８１と、アルミホイル８２に載せたシメジ８３と、輪切りにしたジャガイモ８４と、小片に切り分けられたカボチャ８５と、細切りされたピーマン８６を載せている。ここでは、過熱水蒸気とヒータを用いたグリル調理を行う。
【０１６０】
このように、実行する調理メニュー毎に、加熱調理器１００に[食材配置の画像情報]をダウンロードしてカラー液晶表示部１０に表示することによって、調理メニューの加熱運転を開始する前にどの付属品(トレイ９０や調理網８０など)を使用するのか、食材をどのように配置するのかを、視覚的にわかりやすくすることが可能になり、調理を失敗する確率を減らすことができる。また、付属品(トレイ９０や調理網８０など)の誤使用を防ぐことが可能となる。
【０１６１】
なお、上記実施形態では、加熱調理器１００が実行する調理メニューに応じた[食材配
置の画像情報]を管理サーバ５００から加熱調理器１００にダウンロードしたが、スマー
トフォン３００から加熱調理器１００が実行する調理メニューに応じた[食材配置の画像
情報]を加熱調理器１００に送信するようにしてもよい。
【０１６２】
〔第２実施形態〕
この発明の第２実施形態の加熱調理システムは、管理サーバ５００のおすすめ調理メニューの提案を除いて第１実施形態の加熱調理システムと同一の構成をしている。
【０１６３】
この第２実施形態の加熱調理システムでは、管理サーバ５００の調理メニュー提案部５００ｂは、履歴記憶部５００ａに記憶された調理履歴と食事履歴、および、他の情報提供サーバ(図示せず)からの[天気、暦、季節、祭事、旬な食材、人気メニューの情報]に基づいて、おすすめ調理メニューを提案する。ここで、少なくとも天気の情報は、加熱調理器１００が設置されている地域の天気の情報を情報提供サーバから取得する。
【０１６４】
これにより、加熱調理システムによれば、天気、暦、季節、祭事に応じたおすすめ調理メニューを提案できると共に、旬な食材を用いたおすすめ調理メニューを提案することができる。
【０１６５】
〔第３実施形態〕
この発明の第３実施形態の加熱調理システムは、管理サーバ５００のおすすめ調理メニューの提案を除いて第１実施形態の加熱調理システムと同一の構成をしている。
【０１６６】
この第３実施形態の加熱調理システムでは、管理サーバ５００の調理メニュー提案部５００ｂは、履歴記憶部５００ａに記憶された調理履歴と食事履歴、および、カレンダー管理部５００ｆに記憶されたユーザーの[予定情報]に基づいて、おすすめ調理メニューを提
案する。
【０１６７】
例えば、ユーザーの[予定情報]として、複数のユーザーのうちの加熱調理器を最も利用するユーザーのスマートフォンのカレンダー(アプリケーションソフトウェア)に登録された予定を用いる。このユーザーのスマートフォンのカレンダーの[予定情報]は、自動的に管理サーバ５００のカレンダー管理部５００ｆに記憶されるようにする。なお、家族伝言板を利用するグループを構成する複数のユーザーのスマートフォンの各カレンダーに登録された[予定情報]を集約して、自動的に管理サーバ５００のカレンダー管理部５００ｆに記憶するようにしてもよい。この場合、各ユーザーに優先順位を付けて、優先順位が付けられた[予定情報]を記憶するようにしてもよい。
【０１６８】
また、ユーザーのスマートフォン３００のカレンダーに登録された予定を用いずに、家族伝言板を起動するためのアプリケーション上に個別のカレンダーを設け、そこに入力された予定をユーザーの[予定情報]として用いてもよい。
【０１６９】
これにより、加熱調理システムによれば、管理サーバ５００の調理メニュー提案部５００ｂは、ユーザーの予定(例えば、誕生日、記念日、学校行事など)に応じたおすすめ調理メニューを提案することができる。
【０１７０】
なお、上記第２,第３実施形態を組み合わせて、管理サーバ５００の調理メニュー提案
部５００ｂによって、履歴記憶部５００ａに記憶された調理履歴および食事履歴と、他の情報提供サーバ(図示せず)からの[天気、暦、季節、祭事、旬な食材、人気メニューの情
報]と、家族伝言板サーバ４００のカレンダー管理部５００ｆに記憶されたユーザーの[予定情報]に基づいて、おすすめ調理メニューを提案するようにしてもよい。
【０１７１】
ここで、スマートフォンのカレンダーに登録された予定は、任意の文字列が入力されるので、カレンダーに入力された[予定情報]のうちの特定のキーワード(誕生日、記念日、
学校行事など)を抽出して、抽出されたユーザーの予定情報を管理サーバ５００のカレン
ダー管理部５００ｆに記憶する。
【０１７２】
上記第１〜第３実施形態では、情報端末としてスマートフォン３００を用いたが、情報端末はこれに限らず、ＰＤＡ(Personal Digital Assistant：パーソナル・デジタル・ア
シスタント)やモバイルＰＣ(パーソナルコンピュータ)等であってもよい。
【０１７３】
この発明の具体的な実施の形態について説明したが、この発明は上記実施の形態に限定されるものではなく、この発明の範囲内で種々変更して実施することができる。
【０１７４】
この発明および実施形態をまとめると、次のようになる。
【０１７５】
この発明の加熱調理システムは、
加熱調理器１００と、
上記加熱調理器１００と通信ネットワークＮを介して通信するサーバ４００,５００と
、
上記サーバ４００,５００と上記通信ネットワークＮを介して通信する情報端末３００
と
を備え、
上記情報端末３００は、上記加熱調理器１００で実行するための調理メニューに関わる情報を上記通信ネットワークＮを介して上記サーバ４００,５００に送信する調理メニュ
ー情報送信部３００ｂを有し、
上記サーバ４００,５００は、上記情報端末３００の上記調理メニュー情報送信部３０
０ｂから送信された上記調理メニューに関わる情報に基づいて、上記調理メニューの実行を準備する指令を上記通信ネットワークＮを介して上記加熱調理器１００に送信すると共に、
上記加熱調理器１００は、上記サーバ４００,５００から上記調理メニューの実行を準
備する指令を受けたとき、上記調理メニューの加熱調理を開始可能な実行直前モードに切り換える動作モード切換部１００ｈを有することを特徴とする。
【０１７６】
上記構成によれば、サーバ４００,５００は、情報端末３００の調理メニュー情報送信
部３００ｂから送信された加熱調理器１００で実行するための調理メニューに関わる情報に基づいて、加熱調理器１００にサーバ４００,５００から調理メニューの実行を準備す
る指令を通信ネットワークＮを介して送信する。そして、上記サーバ４００,５００から
調理メニューの実行を準備する指令を加熱調理器１００が受けると、加熱調理器１００は、動作モード切換部１００ｈによって待機モードなどから調理メニューの加熱調理を開始可能な実行直前モードに動作モードが切り換わる。これにより、ユーザーの情報端末３００からサーバ４００,５００を介して加熱調理器１００に調理メニューを指定でき、指定
された調理メニューについて加熱調理器１００を実行可能な状態にすることができ、利便性を向上できる。
【０１７７】
ここで、「待機モード」とは、例えば、運転停止状態でかつ加熱調理の操作などが一定時間ないときに、表示部１０を含む主要回路の電源を遮断して必要最低限の回路に電源を供給する状態や、あるいは、加熱調理の操作がされていない運転停止状態などである。
【０１７８】
また、一実施形態の加熱調理システムでは、
上記加熱調理器１００は、上記実行直前モードにおいて加熱室２を開閉するドアを開けたとき、上記調理メニューの加熱調理が開始可能であることを報知する報知部１０を有する。
【０１７９】
上記実施形態によれば、加熱調理器１００の実行直前モードにおいて加熱室２を開閉するドアを開けたとき、調理メニューの加熱調理が開始可能であることを報知部１０に報知するので、ユーザーは情報端末３００から加熱調理器１００に調理メニューが指定されていることを容易に知ることができる。
【０１８０】
また、一実施形態の加熱調理システムでは、
上記加熱調理器１００は、予め調理メニュー名とその調理メニュー名に対応する調理シーケンスが複数記憶された調理メニュー記憶部１１０ｅを有し、
上記加熱調理器１００は、上記サーバ４００,５００から上記調理メニュー記憶部１１
０ｅに記憶された上記調理メニューの実行を準備する指令を受けたとき、上記調理メニューに対応するメニュー名と調理画像の情報を上記サーバ４００,５００からダウンロード
する。
【０１８１】
上記実施形態によれば、加熱調理器１００の調理メニュー記憶部１１０ｅに記憶された調理メニューの実行を準備する指令をサーバ４００,５００から加熱調理器１００が受け
ると、調理メニューに対応するメニュー名と調理画像の情報がサーバ４００,５００から
ダウンロードされるので、調理メニュー記憶部１１０ｅに記憶された調理メニューの調理シーケンスを利用でき、通信時間や通信データ量を短縮できる。
【０１８２】
また、一実施形態の加熱調理システムでは、
上記加熱調理器１００は、予め調理メニュー名とその調理メニュー名に対応する調理シーケンスが複数登録された調理メニュー記憶部１１０ｅを有し、
上記加熱調理器１００は、上記サーバ４００,５００から上記調理メニュー記憶部１１
０ｅに登録されていない上記調理メニューの実行を準備する指令を受けたとき、上記調理メニューに対応するメニュー名と調理画像の情報および調理シーケンスを上記サーバ４００,５００からダウンロードする。
【０１８３】
上記実施形態によれば、調理メニュー記憶部１１０ｅに登録されていない調理メニューの実行を準備する指令をサーバ４００,５００から加熱調理器１００が受けると、調理メ
ニューに対応するメニュー名と調理画像の情報および調理シーケンスがサーバ４００,５
００からダウンロードされるので、調理メニュー記憶部１１０ｅに記憶されていない調理メニューも実行することができる。
【０１８４】
また、一実施形態の加熱調理システムでは、
上記加熱調理器１００は、上記実行直前モードにおいて１操作または２操作で上記調理メニューの加熱調理を開始するための操作部９を有する。
【０１８５】
上記実施形態によれば、実行直前モードにおいて１操作または２操作で調理メニューの加熱調理を開始するための操作部９を加熱調理器１００が有することによって、加熱調理器１００が実行可能な実行直前モードの状態から１操作または２操作で、サーバ４００,
５００から指定された調理メニューの加熱調理を開始するので、操作性が大幅に向上する。
【０１８６】
また、一実施形態の加熱調理システムでは、
上記情報端末３００は、複数であって、
上記サーバ４００,５００は、上記複数の情報端末３００のユーザーのためのコミュニ
ケーションツールを管理するコミュニケーションツール管理部４００を有し、
上記コミュニケーションツール管理部４００は、上記複数の情報端末３００のうちの１つから上記サーバを介して上記調理メニューの実行を準備する指令が上記加熱調理器１００に送信されたことを、上記複数の情報端末３００のうちの他の情報端末３００に通知するための情報を上記コミュニケーションツールに投稿する。
【０１８７】
上記実施形態によれば、サーバ４００,５００のコミュニケーションツール管理部４０
０によって、複数の情報端末３００のうちの１つからサーバ４００,５００を介して調理
メニューの実行を準備する指令が加熱調理器１００に送信されたことを、上記複数の情報端末３００のうちの他の情報端末３００に通知するための情報をコミュニケーションツールに投稿するので、例えば、母親の情報端末３００から加熱調理器１００に対して調理メニューの実行を準備する指令がされ、加熱調理器１００が調理メニューの加熱調理を開始可能な実行直前モードになっていることを子供の情報端末３００にコミュニケーションツールを介して通知することができ、利便性が向上する。
【符号の説明】
【０１８８】
１…本体ケーシング
２…加熱室
３…扉
５…排気ダクト
６…露受容器
７…外ガラス
８…ハンドル
９…操作パネル
１０…カラー液晶表示部
１２…取り消しキー
１３…スタートキー
２０…スピーカ
３０…ヒータ
４０…マグネトロン
５０…ドアセンサ
８０…調理網
９０…トレイ
１００…加熱調理器
１１０…制御装置
１１０ａ…実行調理メニュー投稿部
１１０ｂ…調理終了投稿部
１１０ｃ…取り出し情報投稿部
１１０ｄ…加熱調理器状態投稿部
１１０ｅ…調理メニュー記憶部
１１０ｆ…お気に入り調理メニュー記憶部
１１０ｇ…動作モード切換部
１２０…無線通信モジュール
２００…無線アクセスポイント
３００…スマートフォン
３００ａ…食事メニュー投稿部
３００ｂ…調理メニュー情報送信部
４００…家族伝言板サーバ
５００…管理サーバ
５００ａ…履歴記憶部
５００ｂ…調理メニュー提案部
５００ｃ…調理メニュー投稿部
５００ｄ…レシピ情報記憶部
５００ｅ…通信部
５００ｆ…カレンダー管理部
【図１】
2020043589.tif 000003
【図２】
2020043589.tif 000004
【図３】
2020043589.tif 000005
【図４】
2020043589.tif 000006
【図５】
2020043589.tif 000007
【図６】
2020043589.tif 000008
【図７】
2020043589.tif 000009
【図８】
2020043589.tif 000010
【図９】
2020043589.tif 000011
【図１０】
2020043589.tif 000012
【図１１】
2020043589.tif 000013
【図１２】
2020043589.tif 000014
【図１３】
2020043589.tif 000015
【図１４】
2020043589.tif 000016
【図１５】
2020043589.tif 000017
【図１６】
2020043589.tif 000018
【図１７】
2020043589.tif 000019
【図１８】
2020043589.tif 000020
【図１９】
2020043589.tif 000021
【図２０】
2020043589.tif 000022
【図２１】
2020043589.tif 000023
【図２２】
2020043589.tif 000024
【図２３】
2020043589.tif 000025
【図２４】
2020043589.tif 000026
【図２５】
2020043589.tif 000027
【図２６】
2020043589.tif 000028
【図２７】
2020043589.tif 000029
【図２８】
2020043589.tif 000030
【図２９】
2020043589.tif 000031
【図３０】
2020043589.tif 000032
【図３１】
2020043589.tif 000033